(57)【特許請求の範囲】
【請求項１】
音声の入出力が可能な第１及び第２の通話装置と、通話線を介して第１及び第２の通話装置と接続される第３の通話装置とを備え、第１乃至第３の通話装置が通話線を介して互いに音声信号を伝送して通話する通話システムであって、
第１の通話装置は、音声を入力する音声入力手段と、音声を出力する音声出力手段と、音声入力手段から入力する音声信号を通話線を介して送信するとともに通話線を介して送信される音声信号を受信して音声出力手段へ出力する音声信号伝送手段と、第２の通話装置との間で制御信号を送受信する制御信号送受信手段と、通話線を介して第２の通話装置にトレーニング信号を送信するトレーニング信号送信手段と、音声信号伝送手段から音声出力手段へ出力される音声信号の音量を調整する音量調整手段とを具備し、
第２の通話装置は、音声を入力する音声入力手段と、音声を出力する音声出力手段と、音声入力手段から入力する音声信号を通話線を介して送信するとともに通話線を介して送信される音声信号を受信して音声出力手段へ出力する音声信号伝送手段と、第１の通話装置との間で制御信号を送受信する制御信号送受信手段と、音声信号伝送手段から音声出力手段へ出力される音声信号の音量を調整する音量調整手段と、第１の通話装置から送信されるトレーニング信号を受信し当該トレーニング信号の信号レベルに基づいて音量調整手段における音量の調整量を演算する演算手段と、演算手段で演算された調整量を通知するための制御信号を制御信号伝送手段より第１の通話装置へ送信させる制御手段とを具備し、
第３の通話装置は、音声を入力する音声入力手段と、音声を出力する音声出力手段と、音声入力手段から入力する音声信号を通話線を介して送信するとともに通話線を介して送信される音声信号を受信して音声出力手段へ出力する音声信号伝送手段と、第１及び第２の通話装置との間で制御信号を送受信する制御信号送受信手段と、音声信号伝送手段から音声出力手段へ出力される音声信号の音量を調整する音量調整手段と、第１の通話装置に対してトレーニング信号の送信を依頼するための制御信号を制御信号伝送手段より第１の通話装置へ送信させる制御手段とを具備し、
第１の通話装置では、制御信号送受信手段で受信する前記制御信号により通知された調整量で音量調整手段が音量を調整するとともに制御信号送受信手段で第３の通話装置から送信されたトレーニング信号送信依頼の制御信号を受信したときにトレーニング信号送信手段がトレーニング信号を送信し、
第３の通話装置では、制御信号送受信手段で受信する前記制御信号により通知された調整量で音量調整手段が音量を調整することを特徴とする通話システム。
【発明の詳細な説明】
【技術分野】
【０００１】
本発明は、通話線で接続された複数台の通話装置が音声信号を伝送して通話する通話システムに関するものである。
【背景技術】
【０００２】
この種の通話システムとして、例えば、集合住宅の共用玄関に設置され音声の入出力が可能なロビーインターホンと、集合住宅の各住戸にそれぞれ設置されロビーインターホンと通話線を介して接続されるとともにロビーインターホンが有する選択手段（テンキーなど）を来訪者が操作することにより選択されるとロビーインターホンとの間で通信路を確立する複数台の住戸機（インターホン親機や住宅情報盤など）とを備え、ロビーインターホンと何れかの住戸の住戸機との間で通話線を介して音声信号を伝送して通話するように構成された集合住宅用インターホンシステムが従来より提供されている（例えば、特許文献１参照）。
【特許文献１】特開平６−１４１２５号公報
【発明の開示】
【発明が解決しようとする課題】
【０００３】
ところで、上記従来例においてはロビーインターホンと各住戸機とを接続する通話線の配線距離が住戸機毎に異なっており、特に高層型の集合住宅においては、１階の住戸に設置されている住戸機までの配線距離と最上階の住戸に設置されている住戸機までの配線距離との差が数百メートルから数キロメートルにも及ぶ場合がある。ここで、通話線を介して伝送される音声信号は、配線距離が長くなるにつれて伝送ロスが増えてしまうから、配線距離の短い住戸機と配線距離の長い住戸機とで通話音量が大きくばらつくことになる。このような音量のばらつきを補正するため、従来は住戸機に設けた音量調整つまみを住人自らが操作して音量を調整しなければならなかった。
【０００４】
本発明は上記事情に鑑みて為されたものであり、その目的は、通話線の配線距離に関わらずに最適な音量で通話することができる通話システムを提供することにある。
【課題を解決するための手段】
【０００５】
請求項１の発明は、上記目的を達成するために、音声の入出力が可能な第１及び第２の通話装置と、通話線を介して第１及び第２の通話装置と接続される第３の通話装置とを備え、第１乃至第３の通話装置が通話線を介して互いに音声信号を伝送して通話する通話システムであって、第１の通話装置は、音声を入力する音声入力手段と、音声を出力する音声出力手段と、音声入力手段から入力する音声信号を通話線を介して送信するとともに通話線を介して送信される音声信号を受信して音声出力手段へ出力する音声信号伝送手段と、第２の通話装置との間で制御信号を送受信する制御信号送受信手段と、通話線を介して第２の通話装置にトレーニング信号を送信するトレーニング信号送信手段と、音声信号伝送手段から音声出力手段へ出力される音声信号の音量を調整する音量調整手段とを具備し、第２の通話装置は、音声を入力する音声入力手段と、音声を出力する音声出力手段と、音声入力手段から入力する音声信号を通話線を介して送信するとともに通話線を介して送信される音声信号を受信して音声出力手段へ出力する音声信号伝送手段と、第１の通話装置との間で制御信号を送受信する制御信号送受信手段と、音声信号伝送手段から音声出力手段へ出力される音声信号の音量を調整する音量調整手段と、第１の通話装置から送信されるトレーニング信号を受信し当該トレーニング信号の信号レベルに基づいて音量調整手段における音量の調整量を演算する演算手段と、演算手段で演算された調整量を通知するための制御信号を制御信号伝送手段より第１の通話装置へ送信させる制御手段とを具備し、第３の通話装置は、音声を入力する音声入力手段と、音声を出力する音声出力手段と、音声入力手段から入力する音声信号を通話線を介して送信するとともに通話線を介して送信される音声信号を受信して音声出力手段へ出力する音声信号伝送手段と、第１及び第２の通話装置との間で制御信号を送受信する制御信号送受信手段と、音声信号伝送手段から音声出力手段へ出力される音声信号の音量を調整する音量調整手段と、第１の通話装置に対してトレーニング信号の送信を依頼するための制御信号を制御信号伝送手段より第１の通話装置へ送信させる制御手段とを具備し、第１の通話装置では、制御信号送受信手段で受信する前記制御信号により通知された調整量で音量調整手段が音量を調整するとともに制御信号送受信手段で第３の通話装置から送信されたトレーニング信号送信依頼の制御信号を受信したときにトレーニング信号送信手段がトレーニング信号を送信し、第３の通話装置では、制御信号送受信手段で受信する前記制御信号により通知された調整量で音量調整手段が音量を調整することを特徴とする。
【発明の効果】
【０００７】
請求項１の発明によれば、通話を開始する前に第１の通話装置から通話線を介して送信されるトレーニング信号を第２の通話装置で受信し、第２の通話装置では当該トレーニング信号の信号レベルに基づいて音量の調整量を演算するとともに音量調整手段が当該調整量で音量を調整し、さらに当該調整量が第２の通話装置から第１の通話装置に通知され、第１の通話装置では第２の通話装置から通知された当該調整量で音量調整手段が音量を調整するので、通話線の配線距離に関わらずに最適な音量で通話することができ、しかも、個々の通話装置において手動で音量を調整する手間がない。さらに、第１の通話装置では、第３の通話装置から送信されたトレーニング信号送信依頼の制御信号を受信したときにトレーニング信号を送信し、第３の通話装置では、第２の通話装置から送信される制御信号により通知された調整量で音量調整手段が音量を調整するので、トレーニング信号送信手段や演算手段を具備しない第３の通話装置においても通話線の配線距離に関わらずに最適な音量で通話することができ、システム全体のコストダウンが図れる。
【発明を実施するための最良の形態】
【０００９】
以下、本発明を集合住宅用のインターホンシステムに適用した実施形態について図面を参照して詳細に説明する。
【００１０】
本発明の実施形態の集合住宅用インターホンシステムの構成例を図１に示す。本実施形態では、集合住宅の共用玄関に設置されるロビーインターホン１と、各住戸にそれぞれ設置される複数台の住戸機２と、集合住宅の管理室に設置される警報監視盤５とを備え、ロビーインターホン１と住戸機２と警報監視盤５とが伝送線路を介して接続されている。伝送線路は、ロビーインターホン１に接続される幹線Ｌ１と、各住戸機２にそれぞれ接続される分岐線Ｌ２とを含み、さらに幹線Ｌ１を複数系統（図示せず）に分配するための幹線制御装置３が設けられている。この伝送線路としては、３対以上のペア線をシース内に備える多対ツイストペアケーブルを用いており、図示例ではロビーインターホン１並びに警報監視盤５と住戸機２との間で音声信号を伝送する通話線Ｌａと、ロビーインターホン１が具備するテレビカメラ４５で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けた映像処理部１２で周波数復調されてモニタ部１３に表示される。
【００１１】
ロビーインターホン１は、音声を入出力するマイクロホン４０及びスピーカ４１と、マイクロホン４０から出力される音声信号（送話信号）を増幅するマイクロホンアンプ４２と、スピーカ３１に入力する音声信号（受話信号）を増幅するスピーカアンプ４３と、受話側並びに送話側の各伝送経路と２線の通話線Ｌａとを２線４線変換する２線４線変換部４４と、来訪者を撮像するテレビカメラ４５と、テレビカメラ４５から出力される映像信号を周波数変調して映像線Ｌｂを介して伝送する映像処理部４６と、住戸番号を指定するための番号キーと呼出釦を有する選択手段たる操作部４７と、ＣＰＵを主構成要素とする制御部４８と、制御部４８と制御線Ｌｃとのインタフェースとなる制御信号送受信部４９とを具備し、来訪者が操作部４７の番号キーを操作して訪問先の住戸番号を選択した後に呼出釦を操作すると住戸番号に対応する住戸機２を選択したことになる。操作部４７から入力された住戸番号が制御部４８によって制御信号送受信部４９から制御線Ｌｃを介して警報監視盤５に送信され、警報監視盤５が当該住戸番号に対応する住戸機２に対して制御線Ｌｃを介して制御信号（呼出コマンド）を送出する。なお、スピーカアンプ４３はゲイン（増幅度）が可変である可変増幅器からなり、後述するように制御部４８によってゲインが調整される。
【００１２】
一方、住戸機２は、音声を入出力するマイクロホン２１及びスピーカ２２を備え、マイクロホン２１とスピーカ２２とはそれぞれマイクロホンアンプ２３ａ並びにスピーカアンプ２３ｂを介して通話処理部２４に接続されている。但し、スピーカアンプ２３ｂはゲイン（増幅度）が可変である可変増幅器からなり、後述するように音量調整部３０によってゲインが調整される。また、通話処理部２４には受話側並びに送話側の各伝送経路と２線の通話線Ｌａとを２線４線変換する２線４線変換部２５が増幅器２６ａ，２６ｂを介して接続されている。通話処理部２４は、通話線Ｌａを介して伝送されてくる音声信号（受話信号）とマイクロホン２１から出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン２１とスピーカ２２の音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【００１３】
また住戸機２には、分岐線Ｌ２の通話線Ｌａと映像線Ｌｂをそれぞれ通話信号（受話信号及び送話信号）の伝送経路（以下、「通話路」と呼ぶ。）と映像信号の伝送経路に分離する幹線インタフェース部１４が設けられている。映像信号の伝送経路は映像処理部１２に接続され、通話路は通話路切換部１６に接続されている。通話路切換部１６は、２線４線変換部２５に接続された通話路を、幹線インタフェース部１４に接続する状態と、後述する子器インタフェース部１８に接続する状態と、同一住戸内に設置された別の住戸機（図示せず）に接続する状態とを択一的に切り換えるものである。
【００１４】
通話路切換部１６に接続された子器インタフェース部１８には子器接続線Ｌ３を介してドアホン子器６が接続される。ドアホン子器６は集合住宅の各住戸の玄関先に配置されるものであってマイクロホン及びスピーカを備える。したがって、通話路切換部１６が２線４線変換部２５に接続された通話路を子器インタフェース部１８に接続する状態に切り換えられているときにドアホン子器６と住戸機２との間での通話が可能になっている。また、ドアホン子器６にはテレビカメラが設けられ、子器インタフェース部１８では子器接続線Ｌ３を介して伝送される音声信号と映像信号を分離し、分離した映像信号を伝送線路を介して映像処理部１２に出力してモニタ部１３に表示することができるようになっている。さらにドアホン子器６には呼出釦が設けられ、呼出釦が操作されたときに子器接続線Ｌ３に呼出信号を送出する機能を有し、住戸機２では呼出信号を検出したときに報知音生成部２７で生成された呼出音がスピーカ２２から送出されるようになっている。
【００１５】
住戸機２において、モニタ部１３には液晶表示器あるいはＣＲＴが用いられる。映像線Ｌｂを通して住戸機２に入力される映像信号は、幹線インタフェース部１４で平衡−不平衡変換され、さらに増幅器で増幅された後に映像処理部１２において周波数復調される。また、子器接続線Ｌ３を通して住戸機２に入力される映像信号も、子器インタフェース部１８で平衡−不平衡変換され、さらに増幅器で増幅された後に映像処理部１２において周波数復調される。そして、映像処理部１２から出力された映像信号は、モニタ部１３に入力されることによってモニタ部１３の画面に映像を表示する。つまり、ロビーインターホン１やドアホン子器６のテレビカメラにおいて撮像された来訪者の映像が住戸機２のモニタ部１３に表示されるから、住戸内の居住者が来訪者を確認することができるのである。
【００１６】
また報知音生成部２７は、ロビーインターホン１やドアホン子器６からの呼出等を報知するための報知音を生成し、生成した報知音を増幅器２８ａを介してスピーカ２２に出力するとともに当該報知音をバックトーンとして分岐線Ｌ２又は子器接続線Ｌ３にも出力する。すなわち、報知音生成部２７には増幅器２８ｂを介してバックトーン送出路切換部１７が接続されており、このバックトーン送出路切換部１７がバックトーンの送出先を分岐線Ｌ２と子器接続線Ｌ３とに択一的に切り換えるようになっている。
【００１７】
住戸機２には、ＣＰＵを主構成要素とし内部回路を制御する主制御部１０が設けられ、主制御部１０には制御線Ｌｃとのインタフェースとなる制御信号送受信部１１が接続される。制御信号送受信部１１は、主制御部１０から出力された制御信号を制御線Ｌｃに送出し、制御線Ｌｃから受信した制御信号を主制御部１０に引き渡す機能を有する。
【００１８】
ところで、分岐線Ｌ２は分岐器７を介して幹線Ｌ１から分岐され、幹線制御装置３においては各系統の幹線Ｌ１を直結している。したがって、ロビーインターホン１から送出された制御信号は制御線Ｌｃに接続されるすべての住戸機２に伝送される。ここに、住戸機２の主制御部１０には個別にアドレス（たとえば、住戸番号）が設定されており、ロビーインターホン１においてアドレスを選択することによって、アドレスを指定する制御信号（呼出コマンド）が警報監視盤５から制御線Ｌｃを介して全ての住戸機２に伝送することが可能になっている。住戸機２の主制御部１０は、制御信号に含まれるアドレスが自己のアドレスであれば映像処理部１２やモニタ部１３を起動してロビーインターホン１のテレビカメラ４５において撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の応答釦（図示せず）を押操作すれば、主制御部１０が通話路切換部１６を制御して２線４線変換部２５に接続された通話路を幹線インタフェース部１４に接続する状態に切り換えさせてロビーインターホン１との間に通信路を確立することにより、ロビーインターホン１と選択された住戸機２との間でのみ通話可能にすることができるとともに、選択された住戸機２でのみテレビカメラ４５で撮像された来訪者をモニタ部１３に表示することが可能になる。尚、ロビーインターホン１において選択された住戸機２がロビーインターホン１との間で通信路を確立している状態は、ロビーインターホン１または住戸機２において適宜の操作釦を用いた通話終了が検出されると終了する。
【００１９】
また、ドアホン子器６の呼出釦が押操作されて子器接続線Ｌ３に呼出信号が送出されると、呼出信号を検出した住戸機２の主制御部１０が映像処理部１２やモニタ部１３を起動してドアホン子器６のカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の応答釦（図示せず）を押操作すれば、主制御部１０が通話路切換部１６を制御して２線４線変換部２５に接続された通話路を子器インタフェース部１８に接続する状態に切り換えさせてドアホン子器６との間に通信路を確立することにより、ドアホン子器６と住戸機２との間で通話可能にすることができるとともテレビカメラで撮像された来訪者をモニタ部１３に表示することが可能になる。
【００２０】
一方、警報監視盤５は、ＣＰＵを主構成要素とする制御部５０と、制御部５０と制御線Ｌｃとのインタフェースとなる制御信号送受信部５１と、通話用のハンドセット（送受話器）５２と、送話信号及び受話信号を増幅する増幅器５３ａ，５３ｂと、受話側並びに送話側の各伝送経路と２線の通話線Ｌａとを２線４線変換する２線４線変換部５４と、制御部５０からの指示に応じて後述するトレーニング信号を送信するトレーニング信号送信部５５と、２線４線変換部５４の送話側の伝送線路をハンドセット５２に接続する状態とトレーニング信号送信部５５に接続する状態とに択一的に切り換える音声／トレーニング信号切換部５６と、音声／トレーニング信号切換部５６を２線４線変換部５４を介して通話線Ｌａに接続する状態と２線４線変換部５４を介さずに増幅器５８を介して通話線Ｌａに接続する状態とに択一的に切り換える通話／トレーニング信号切換部５７と、ロビーインターホン１に接続された通話線Ｌａと幹線制御装置３に接続された通話線Ｌａとの間に挿入された開閉スイッチ部５９とを備えている。尚、図示は省略するが、警報監視盤５には住戸番号を指定するための番号キーと呼出釦を有する選択手段とが設けられ、管理人が番号キーを操作して何れかの住戸番号を選択した後に呼出釦を操作することで住戸番号に対応する住戸機２を選択すれば、選択した住戸機２との間に通信路が形成されてハンドセット５２により当該住戸機２との間でのみ通話を行うことができる。また、かかる通話時には、制御部５０によって音声／トレーニング信号切換部５６が２線４線変換部５４の送話側の伝送線路をハンドセット５２に接続する状態に切り換えられるとともに通話／トレーニング信号切換部５７が音声／トレーニング信号切換部５６を２線４線変換部５４を介して通話線Ｌａに接続する状態に切り換えられ、且つ開閉スイッチ部５９が開成されてロビーインターホン１が幹線Ｌ１から切り離される。ここで、受話信号を増幅する増幅器５３ａはゲイン（増幅度）が可変である可変増幅器からなり、後述するように制御部５０によってゲインが調整される。
【００２１】
トレーニング信号送信部５５は、単一周波数のトーン信号からなるトレーニング信号を生成して出力するものであって、トレーニング信号は音声／トレーニング信号切換部５６から通話／トレーニング信号切換部５７を経て増幅器５８で増幅された後に通話線Ｌａを介して各住戸機２に伝送される。
【００２２】
而して、本実施形態では管理室に設置される警報監視盤５が第１の通話装置に相当し、各住戸に設置される住戸機２が第２の通話装置に相当し、共用玄関に設置されるロビーインターホン１が第３の通話装置に相当する。但し、ロビーインターホン１にトレーニング信号送信手段を設けて第１の通話装置とし、警報監視盤５からトレーニング信号送信部５５を取り除いて第３の通話装置とする構成であってもよい。
【００２３】
住戸機２が具備する音量調整部３０は、通話線Ｌａを介して受信したトレーニング信号の信号レベルに基づいてスピーカアンプ２３ｂのゲインを調整するものであって、具体的には、トレーニング信号の信号レベルと適当な音量となる基準レベルとの差を補償するようにゲインの調整量を演算し、スピーカアンプ２３ｂのゲインを当該調整量に応じて増減することでスピーカ２２から鳴動する受話音声の音量を調整する。尚、本実施形態における音量調整部３０は、通話処理部２４並びに報知音生成部２７とともにＤＳＰ（ディジタル・シグナル・プロセッサ）のハードウェアをソフトウェアで制御することによって実現されているが、これに限定されるものではなく、ＤＳＰの代わりにＣＰＵを用いたり、あるいはアナログ回路やディジタル回路で構成することも可能である。
【００２４】
次に、本実施形態において警報監視盤５より何れかの住戸機２を選択して個別に通話する際の警報監視盤５並びに住戸機２の各動作を説明する。まず、図示しない選択手段により何れかの住戸機２が選択されると、警報監視盤５では、制御部５０が選択された住戸機２を呼び出すための制御信号（呼出コマンド）を制御信号送受信部５１から制御線Ｌｃを介して選択された住戸機２に対して伝送し、さらに、制御信号の送信完了から第１の所定時間が経過したら、音声／トレーニング信号切換部５６を制御してトレーニング信号送信部５５を通話／トレーニング信号切換部５７に接続する状態に切り換えるとともに通話／トレーニング信号切換部５７を２線４線変換部５４を介さずに通話線Ｌａに接続する状態に切り換えた後、トレーニング信号送信部５５からトレーニング信号を送信させる。
【００２５】
警報監視盤５から送信された制御信号は、選択された住戸機２で受信される。制御信号を受信した住戸機２では、主制御部１０が呼出コマンドに応じて通話開始のための準備を行う。すなわち、主制御部１０は音量調整部３０を動作させ、警報監視盤５から通話線Ｌａを介して伝送されるトレーニング信号を受信すれば上述の音量調整量の演算を開始させる。音量調整部３０では、主制御部１０から動作開始の指示を受けるとトレーニング信号の信号レベルを計測し、上述の手順で音量調整量を演算するとともに、当該演算結果（音量調整量）を主制御部１０に渡す。主制御部１０は、制御信号送受信部１１から信号線Ｌｃを介して警報監視盤５に送信する制御信号で音量調整量を警報監視盤５に通知する。
【００２６】
警報監視盤５においては、制御信号送受信部５１で上記制御信号を受信し、通知された音量調整量が制御部５０に渡され、制御部５０が当該音量調整量に基づいて増幅器５３ａのゲインを増減して受話音声の音量を調整する。さらに警報監視盤５では、送信開始から第２の所定時間経過後に制御部５０がトレーニング信号送信部５５によるトレーニング信号の送信を停止させ、さらに、音声／トレーニング信号切換部５６を制御してハンドセット５２を通話／トレーニング信号切換部５７に接続する状態に切り換える。そして、管理人がハンドセット５２を使って通話し、居住者が住戸機２で通話すれば、住戸機２のスピーカ２２からはスピーカアンプ２３ｂによって適正な音量に調整された受話音声が鳴動され、同じく警報監視盤５のハンドセット５２からも増幅器５３ａによって適正な音量に調整された受話音声が鳴動されることになる。
【００２７】
ここで、通話を終了するためにハンドセット５２がオンフックされると、警報監視盤５の制御部５０は、通話終了を指示する制御信号（通話終了コマンド）を制御信号送受信部５１から制御線Ｌｃを介して住戸機２に対して伝送した後、待機状態に戻る。また、通話終了コマンドを受信した住戸機２では、主制御部１０が通話処理部２４を停止させて待機状態に戻る。
【００２８】
次に、本実施形態においてロビーインターホン１より何れかの住戸機２を選択して個別に通話する際のロビーインターホン１並びに警報監視盤５、住戸機２の各動作を説明する。まず、来訪者が操作部４７の番号キーを操作して訪問先の住戸番号を選択した後に呼出釦を操作することで住戸番号に対応する住戸機２が選択されると、ロビーインターホン１では、操作部４７から入力された住戸番号並びにトレーニング信号の送信依頼を制御部４８によって制御信号送受信部４９から制御線Ｌｃを介して警報監視盤５に送信する。警報監視盤５では、制御部５０がロビーインターホン１で選択された住戸機２を呼び出すための制御信号（呼出コマンド）を制御信号送受信部５１から制御線Ｌｃを介して当該住戸機２に対して伝送し、さらに、制御信号の送信完了から第１の所定時間が経過したら、音声／トレーニング信号切換部５６を制御してトレーニング信号送信部５５を通話／トレーニング信号切換部５７に接続する状態に切り換えるとともに通話／トレーニング信号切換部５７を２線４線変換部５４を介さずに通話線Ｌａに接続する状態に切り換えた後、トレーニング信号送信部５５からトレーニング信号を送信させる。
【００２９】
そして、警報監視盤５と住戸機２との通話時と同様に、制御信号を受信した住戸機２では、音量調整部３０がトレーニング信号の信号レベルを計測して音量調整量を演算するとともに、当該演算結果（音量調整量）を主制御部１０に渡し、主制御部１０が制御信号送受信部１１から信号線Ｌｃを介して音量調整量を通知するための制御信号を送信する。
【００３０】
警報監視盤５においては、住戸機２から信号線を介して送信された前記制御信号を制御信号送受信部５１よりロビーインターホン１に転送し、送信開始から第２の所定時間経過後に制御部５０がトレーニング信号送信部５５によるトレーニング信号の送信を停止させるとともに、開閉スイッチ部５９を閉成してロビーインターホン１に接続されている通話線Ｌａを幹線Ｌ１の通話線Ｌａと接続する。
【００３１】
一方、ロビーインターホン１においては、警報監視盤５から転送された制御信号を制御信号送受信部４９で受信し、通知された音量調整量が制御信号送受信部４９から制御部４８に渡され、制御部４８が当該音量調整量に基づいてスピーカアンプ４３のゲインを増減して受話音声の音量を調整する。そして、来訪者がロビーインターホン１で通話するとともに居住者が住戸機２で通話すれば、住戸機２のスピーカ２２からはスピーカアンプ２３ｂによって適正な音量に調整された受話音声が鳴動され、同じくロビーインターホン１のスピーカ４１からもスピーカアンプ４３によって適正な音量に調整された受話音声が鳴動されることになる。
【００３２】
上述のように本実施形態によれば、第１の通話装置たる警報監視盤５と第２の通話装置たる住戸機２との間で通話を開始する前に、警報監視盤５から通話線Ｌａを介して送信されるトレーニング信号を住戸機２で受信し、住戸機２では当該トレーニング信号の信号レベルに基づいて演算手段並びに音量調整手段たる音量調整部３０が音量の調整量を演算するとともに当該調整量でスピーカアンプ２３ｂのゲインを増減して受話音声の音量を調整し、さらに当該調整量が住戸機２から警報監視盤５に通知され、警報監視盤５では住戸機２から通知された当該調整量で音量調整手段たる制御部５０が増幅器５３ａのゲインを増減して受話音声の音量を調整するので、警報監視盤５から選択された住戸機２までの通話線Ｌａの配線距離に関わらずに最適な音量で通話することができ、しかも、個々の住戸機２において手動で音量を調整する手間が省けるという利点がある。
【００３３】
さらに、第１の通話装置たる警報監視盤５では、第３の通話装置たるロビーインターホン１から送信されたトレーニング信号送信依頼の制御信号を受信したときにトレーニング信号を送信し、ロビーインターホン１では、第２の通話装置たる住戸機２から送信される制御信号により通知された調整量で音量調整手段たる制御部４８がスピーカアンプ４３のゲインを増減して受話音声の音量を調整するので、トレーニング信号送信手段や演算手段を具備しないロビーインターホン１においても選択された住戸機２までの通話線Ｌａの配線距離に関わらずに最適な音量で通話することができるとともに、ロビーインターホン１の構成が簡素化できるためにシステム全体のコストダウンが図れるという利点がある。ここで、警報監視盤５が設置される管理室はロビーインターホン１が設置される共用玄関の近傍に配置されており、警報監視盤５とロビーインターホン１とを接続する通話線Ｌａの配線距離（最大で２０ｍ〜３０ｍ）が、警報監視盤５と各住戸機２とを接続する通話線Ｌａ＋Ｌ１の配線距離（最大で２ｋｍ〜３ｋｍ）に比べて十分に短いとみなせるので、上述のようにロビーインターホン１の代わりに警報監視盤５から送信されたトレーニング信号に基づいて音量の調整量を演算しても適正な音量に調整できるものである。
【図面の簡単な説明】
【００３４】
【図１】本発明の実施形態を示すシステム構成図である。
【符号の説明】
【００３５】
１  ロビーインターホン（第３の通話装置）
２  住戸機（第２の通話装置）
５  警報監視盤（第１の通話装置）
２２  スピーカ
２３ｂ  スピーカアンプ
３０  音量調整部
５０  制御部
５２  ハンドセット
５３ａ  増幅器
５５  トレーニング信号送信部
Ｌａ  通話線
Ｌｃ  信号線
【図１】
0004715526.tif 000002